(57)【特許請求の範囲】
【請求項１】
曲面の背を有するように折り曲げられたシートよりなる小冊子の処理方法であって、
曲面の背を有するように複数のシートを折り曲げる工程と、
前記折り曲げられた複数のシートの前記曲面の背に隣接した部分を、前記背の長さ方向全体に亘ってクランプ手段で固定的に把持する工程であって、前記曲面の背が前記クランプ手段から突出した状態に把持する工程と、
前記突出した前記背を平坦化するのに充分な圧力を加えながら、前記突出した前記背の長さ方向に沿って成形手段を通過させる工程と、を含む、小冊子の処理方法。
【請求項２】
前記把持する工程が、前記折り曲げられた複数のシートを、前記曲面の背が停止板に当接するまで前記クランプ手段の間に押し込むことを含み、
前記成形手段を通過させる工程が、成形ローラを通過させることを含む、請求項１に記載の小冊子の処理方法。
【請求項３】
前記成形手段を通過させる工程が、前記成形ローラを複数回通過させることを含む、請求項２に記載の小冊子の処理方法。
【請求項４】
前記把持する工程において、前記背の突出量が、前記停止板によって決定される、請求項２に記載の小冊子の処理方法。
【請求項５】
前記背の突出量が、０．５ｍｍ〜１．７５ｍｍである、請求項４に記載の小冊子の処理方法。
【請求項６】
前記把持する工程において、前記クランプ手段が、把持表面の長さ方向にリブを有する一対のクランピングジョーであり、前記複数のシートの前記曲面の背に隣接した部分に凹部が形成される、請求項２に記載の小冊子の処理方法。
【請求項７】
前記クランピングジョーの前記リブと前記停止板の表面との間で前記小冊子の前記曲面の背が形成される距離が、５ｍｍ〜１０ｍｍの範囲である、請求項６に記載の小冊子の処理方法。
【請求項８】
前記停止板によって前記背の突出量が決定された後、前記成形ローラを通過させる前に、前記停止板が引き込まれる、請求項４に記載の小冊子の処理方法。
【請求項９】
曲面の背を有するように折り曲げられたシートよりなる小冊子の処理方法であって、
前記折り曲げられた複数のシートを、前記曲面の背が停止板に接するまで、一対の開かれたクランピングジョーの間に押し込む工程と、
前記折り曲げられた複数のシートの前記曲面の背に隣接した部分を、前記背の長さ方向全体に亘って固定的に把持するために、前記一対のクランピングジョーを閉じる工程と、
前記停止板を引き込む工程と、
前記曲面の背を平坦にするために充分な圧力を加えながら、前記背の長さ方向に沿って成形手段を通過させる工程と、
前記小冊子を除去するために前記一対のクランピングジョーを開く工程と、
を含む、小冊子の処理方法。
【請求項１０】
曲面の背を有するように折り曲げられたシートよりなる小冊子の処理方法であって、
複数の平らなシートの上方より作用するブレードの移動によって、前記複数のシートを、曲面の背を有するように折り曲げ、かつ、前記曲面の背が停止板に接するまで、一対の開かれたクランピングジョーの間に押し込む工程と、
前記折り曲げられた複数のシートの前記曲面の背に隣接した部分を、前記背の長さ方向全体に亘って固定的に把持するために、前記一対のクランピングジョーを閉じる工程と、
前記停止板を引き込む工程と、
前記曲面の背を平坦にするために充分な圧力を加えながら、前記背の長さ方向に沿って成形手段を通過させる工程と、
前記小冊子を除去するために前記一対のクランピングジョーを開く工程と、
を含む、小冊子の処理方法。
【請求項１１】
曲面の背を有するように折り曲げられたシートよりなる小冊子の処理装置であって、
前記折り曲げられた複数のシートの前記曲面の背に隣接した部分を、前記背の長さ方向全体に亘って固定的に把持するクランプ手段であって、前記曲面の背が前記クランプ手段から突出した状態に把持するためのクランプ手段と、
前記突出した背を平坦化するのに充分な圧力を加えるべく前記背の長さ方向の一端から他端に移動可能な成形手段と、を備えた、小冊子の処理装置。
【請求項１２】
前記成形手段がローラよりなる、請求項１１に記載の小冊子の処理装置。
【請求項１３】
前記クランプ手段は、前記背を含む突出量を調節可能である、請求項１１に記載の小冊子の処理装置。
【請求項１４】
前記背の突出量が、０．５ｍｍ〜１．７５ｍｍである、請求項１３に記載の小冊子の処理装置。
【請求項１５】
前記クランプ手段が、一対の細長いクランピングジョーであり、前記各クランピングジョーの把持表面の長さ方向に、前記折り曲げられた複数のシートを把持結合するための細長いリブを有する、請求項１１に記載の小冊子の処理装置。
【請求項１６】
前記折り曲げられた複数のシートの前記曲面の背に当接し、前記曲面の背の突出量を決定するための停止板をさらに備え、前記停止板は、前記成形手段が移動できるように引き込み可能である、請求項１５に記載の小冊子の処理装置。
【請求項１７】
前記クランピングジョーの前記細長いリブと前記停止板の表面との距離が、５ｍｍ〜１０ｍｍの範囲である、請求項１６に記載の小冊子の処理装置。
【発明の詳細な説明】
【０００１】
【発明の属する技術分野】
本発明は、通常の小冊子等を製造するための方法および装置に関し、また、これらの方法により製造される小冊子等に関する。本明細書で以下に使用される「小冊子」という用語は、軸線に沿って縫合されまたは針止めされた、糊付けされた、または単に折りたたまれただけの、一組の折りたたまれたシートを全て包含する。従って「小冊子」という用語は、小冊子類、パンフレット類、マニュアル類などの品目をも含む。
【０００２】
【従来の技術】
通常は、概略３０枚程度の一組のシートを縫合／折り畳み機で折り畳むと、背付近に明らかに湾曲を有するような仕上がりの製品になる。この場合、小冊子は開く傾向を有するので、見栄えのしない外観を呈し、そして平坦な状態に置けないために、多数のそのような小冊子を貯蔵および運搬のために積み重ねることがより困難になることを意味する。大多数のそのような小冊子を、全て背を同じ側に向けて積み重ねることは、積み重ねた小冊子が一方に傾くために不可能である。釣り合いを取りながら積み重ねるためには、一部の背を一方向に、他の背を反対方向に向けて小冊子を積み重ねることが必要である。
【０００３】
一組のシートを折り畳むための装置の改善に関して、多数の異なった形態の装置が公知であり、一般に折り目付け装置が用いられている。英国特許第２０３１７９８号は、本の背に対して押し付けるが、決して背を変形させるものではない「平滑化アーム」の使用を提示している。英国特許第２０３１７９８号の「平滑化アーム」の目的は、針止め穴付近の積層した素材を平滑化し、そして接着剤が針止め穴を通って本の内部に進入するのを防ぐことである。
【０００４】
【発明が解決しようとする課題】
本発明の目的は、シートを処理した後平坦な状態で置くことができるように、小冊子を処理するための方法および装置を提供することである。
【０００５】
さらに本発明の他の目的は、  シートを処理した後平坦な状態で置くことができるるように小冊子の背部を変形する、小冊子を処理するための方法および装置を提供することである。
【０００６】
【課題を解決するための手段】
本発明は、折りたたまれた小冊子を背部に接して把持し固定して突出部を形成する工程、および、背部の湾曲を平坦化するのに十分な圧力で突出部の長さ方向に沿って成形手段を走行させる工程を含む、湾曲する背部が生ずるように折りたたまれたシートの小冊子を処理する方法を提供する。
【０００７】
好ましくは、成形手段は背部の長さ方向にそって１回もしくはそれ以上の回数走行するようになされた圧力ローラーである。小冊子の背部の突出量は、把持し固定する手段によらず調節可能であり、突出の寸法は、とりわけ小冊子のシートの枚数およびシートを構成する材質に従って変わり得る。突出量は、好ましくは０．５ｍｍ乃至１．７５ｍｍである。本発明の好ましい態様において、小冊子はジョーチャックにより締め付けて固定され、該ジョーチャックは把持を改善するためにリブを有していてもよく、背部に隣接して小冊子を把持する。
【０００８】
また、本発明によれば、背の部分が締め付け手段から湾曲して突出する突き出し部を有する一組の折りたたまれたシート材料を把持し固定するように配置されたクランプ手段、および、突き出し部の長さ方向に沿って移動可能であり、背部の湾曲を平坦化するのに十分な圧力を背に対して付与する成形手段を含む、背部が湾曲するように折りたたまれた小冊子を処理する装置が提供される。
【０００９】
好ましくは、該成形手段は、背部の長さ方向に沿って１回もしくはそれ以上の回数走行可能なように配置されたローラーよりなる。また、好ましい態様においては、クランプ手段が、背部に隣接して折りたたまれたシートを把持するように配置されたリブ状であることが可能な、一対のクランピングジョーを含む。さらにまた、本発明によれば、軸を中心として折りたたまれ、平坦化した形状に変形された背部を有する、複数のシート材料よりなる小冊子が提供される。
【００１０】
【発明の実施の態様】
本発明をより十分に理解するために、本発明の好ましい態様の一例を、添付の図面を参考にして以下に記載する。図に示された装置は、本発明方法の一態様を実施する上でなされる一連の動作を説明するために、単に説明的に示されたものである。
【００１１】
図１に示すように、背部の軸線１１に沿って１つ以上の位置で縫合し／針止めされた、紙または他の材質の複数のシート１０は、位置合わせした状態を保持しながら、一対の開いたクランピングジョー（クランプするためのあご部材）１２の上の位置に運ばれる。クランピングジョー１２は一組のシート１０の一方の長さ方向に延びた細長い棒状物である。一組のシートの上に、縫合部１１と並置されて直線的に移動可能なブレード１３があり、その下降移動により一組のシートをクランピングジョー１２の間に押し下げ、それにより縫合した軸線に沿ってシートを折りたたむ。クランピングジョー１２の下方に停止板１４があり、一組の折りたたまれたシートがクランピングジョー１２の間に挿入されたとき、その下方への動きを制限する。シートの背が停止板１４に接触したとき、ブレード１３は上方へ引きあげられる。各クランピングジョー１２、１２は、クランピングジョーの長さ方向一杯に延びるよう設けられたリブ１６を有する。
【００１２】
一方、クランピングジョーの接触表面は、把持を改善するためにエンボス加工をするか、またはぎざぎざをつけ、または他の何らかの模様付けを施してもよい。図２に最も明瞭に示されているように、クランピングジョーが内側へ移動して締め付け効果を発揮するとき、クランピングジョーは一組のシート１０と係合してこれをを把持する。クランピングジョー１２、１２の双方がお互いに向き合って移動する代わりに、片方のクランピングジョーを固定し、それに対してもう一方のクランピングジョーが近づいたり離れたりするようにすることもできる。本質的なことは、一組のシート１０が、如何なる動きをも防ぐようにクランピングジョー１２によってしっかり把持されることである。
【００１３】
停止板１４の上部表面とクランピングジョー１２の下面との間の距離ｘは、本発明の重要な特徴である。この距離は調節可能であり、一組の折りたたまれたシート１０がクランピングジョーの下に突出する量は調節することができる。図２に示すように、一組のシートの突出部分は、この段階ではまだ凸状をしている。
【００１４】
突出量ｘは、とりわけシート１０の枚数およびその構成材質にに基く内容物の嵩によって変わる。シートは通常紙であるが、厚み、表面仕上げなどが異なり、これを許容するために調整が必要となる。異なった材質のカバーシートもまた影響を与える。殆どの状況下において、突出量ｘが０．５ｍｍ乃至１．７５ｍｍの時最適の結果が得られるということが見出されているが、これらの数字は単に好ましい数字であって、本発明の範囲を制限するものではないことを理解する必要がある。
【００１５】
クランピングジョー１２にリブ１６が設けられている場合は、リブ１６と停止板１４の上部表面との間の距離は約５ｍｍ乃至１０ｍｍとする事が出来る。
【００１６】
図３および図４に示されるように、一組のシート１０がクランピングジョー１２によってしっかり把持されているとき、停止板１４は片側に引き込まれ、自動的、もしくはオペレーターの操作によって、成形ローラー１８がクランピングジョーの長さだけクランピングジョーの下方を走行するように配置されており、それによりシートの凸状の背部を圧縮し変形して平坦な形状にする。クランピングジョー１２の下を走行する際、成形ローラー１８は殆どクランピングジョーに接触している。このことは、所望する効果を生ぜしめる上で重要な特徴である。このように、ローラー１８はクランピングジョーの長さ方向に沿って走行しながら、折りたたまれたシートの背部に対して実質的に上向きの圧力を加える。所望する背部の平坦化を実現するために、使用されるシートの枚数および材質によって、ローラー１８は背部の長さ方向に沿って１回走行または一回以上の走行を行うことができる。
【００１７】
ローラー１８は、その機能をなし終えた後はクランピングジョーの一端の不作用位置に戻り、そして図５に示すようにクランピングジョー１２が開いて、このように成形された小冊子が下方へ或いはこれとは別に上方へ取り除かれることを可能にする。もし、ローラー１８が引き込まれた後で、小冊子が上方へ取り除かれる場合は、停止板１４はクランピングジョー１２が開く前に小冊子の下の位置へ戻る。次いで小冊子を装置から持ち上げることができる。図５から分るように、小冊子は、クランピングジョーから開放された時、表側と裏側にリブ１６の圧力による折り目を有する。
【００１８】
このようにして小冊子の背部を平坦化することにより、得られる製品は背の近傍の目に見える程の湾曲がなくなって平坦に置けるようになり、そのため、それに続く小冊子の貯蔵および運搬が行い易くなる。
【００１９】
これまで、成形装置に挿入する前に縫合または針止めされた一組のシートについて説明したが、本発明は縫合されていないシートについても適用できる。後者の場合は、一組のシートは単に折り畳むか、または接着剤、例えば感圧接着剤を使用して、発生する圧力下でシートをばらけないように保つ。この場合、折り畳まれた一組のシートがクランピングジョーの間に挿入される前に、シートに接着剤を塗布することが必要になる。
【００２０】
図面に示されていないが、そして上記に詳細に記載されてもいないが、本発明による方法で構成される一連のステップは、オペレーターによって操作されるか、装置を特別の生産工程に組み込んだ後、自動化したシステムの一部とすることができる。本発明の装置は、また、小冊子製造装置の付加的な要素として使用される。小冊子の生産においては、従来は、縫合し、次いで折りたたみ、そして形を整え仕上げをする。本発明の成形工程は、望ましくは折りたたみ操作の後に行なわれ、そして、その後仕上げ操作が行なわれる。成形操作がある程度のシートのずれを引き起こす場合は、仕上げの整合は最後まで残しておくことが好ましい。
【００２１】
以上、本発明の実施例について詳述したが、以下、本発明の各実施態様の例を示す。
【００２２】
（実施態様１）
折りたたまれた小冊子を突出部を形成するように背部に隣接して把持し固定する工程、および、背部の湾曲を平坦化するのに十分な圧力で突出部の長さ方向に沿って成形手段を走行させる工程とを含む、背が湾曲するように折りたたまれたシートの小冊子を処理する方法。
【００２３】
（実施態様２）
背部の長さ方向に沿って成形ローラーを走行させることを含む、実施態様１に記載の方法。
【００２４】
（実施態様３）
成形手段が背部の長さに沿って複数回走行する、実施態様１または２に記載の方法。
【００２５】
（実施態様４）
小冊子の背部の突出量が、把持し固定する手段によらず調節可能である、実施態様１，２，３のいずれかに記載の方法。
【００２６】
（実施態様５）
該突出量が０．５ｍｍ乃至１．７５ｍｍである実施態様４に記載の方法。
【００２７】
（実施態様６）
折りたたまれた小冊子をクランピングジョーで把持する、実施態様１乃至５のいずれかに記載の方法。
【００２８】
（実施態様７）
クランピングジョーの各々が、折りたたまれた小冊子に折り目を入れる細長いリブを有する実施態様６に記載の方法。
【００２９】
（実施態様８）
リブと、成形に先立って小冊子の背部が静止される停止板の表面との距離が５ｍｍ乃至１０ｍｍの範囲にある、実施態様７に記載の方法。
【００３０】
（実施態様９）
折りたたまれたシートを、開いた一対のクランピングジョーの間に挿入して停止板と接触せしめ、次いでクランピングジョーを閉じ、停止板を引き込み、成形手段を背部の長さ方向に沿って走行せしめ、そしてクランピングジョーを開いて小冊子を除去可能にする、実施態様１乃至８のいずれかに記載の方法。
【００３１】
（実施態様１０）
折りたたまれたシートを把持して固定する前に縫合する、実施態様１乃至９のいずれかに記載の方法。
【００３２】
（実施態様１１）
シートを把持し固定する前にシートに感圧接着剤を付与する、実施態様１乃至９のいずれかに記載の方法。
【００３３】
（実施態様１２）
小冊子を成形する前に折りたたまれたシートを縫合し、成形後整合操作を行う、前記実施態様１乃至１０のいずれかに記載の方法。
【００３４】
（実施態様１３）
平坦な一組のシートを折りたたむように作用するブレードの移動によりシートの最初の折り畳みを行い、それらを把持し固定する場所に挿入することを特徴とする、実施態様１乃至１２のいずれかに記載の方法。
【００３５】
（実施態様１４）
背の部分がクランプ手段から突出するよう一組の折りたたまれたシート材料を把持し固定するように配置されたクランプ手段、および、該突出部の長さ方向に沿って移動可能であり、背部の湾曲を平坦化するのに十分な圧力を背に対して付与する成形手段を含む、背部が湾曲するように折りたたまれた小冊子を処理する装置。
【００３６】
（実施態様１５）
成形手段がローラーを含む実施態様１４に記載の装置。
【００３７】
（実施態様１６）
小冊子の背部がクランプ手段から突出する量が調節可能である、実施態様１４または１５に記載の方法。
【００３８】
（実施態様１７）
該突出量が０．５ｍｍ乃至１．７５ｍｍである実施態様１６に記載の装置。
【００３９】
（実施態様１８）
クランプ手段が一対の細長いクランピングジョーを含み、折りたたまれたシートと接するクランピングジョーの表面が、把持係合を助長するような形状または模様を有する、実施態様１４乃至１７のいずれかに記載の装置。
【００４０】
（実施態様１９）
それぞれのクランピングジョーが、把持係合を助長するための細長いリブを有する、実施態様１８に記載の装置。
【００４１】
（実施態様２０）
成形前に小冊子の背部が対峙して静止する停止板を含み、リブと停止板の表面との距離が５ｍｍ乃至１０ｍｍの範囲にある実施態様１９に記載の装置。
【図面の簡単な説明】
【図１】  図１は、一組のシートのクランピングジョー間への挿入を説明する図である。
【図２】  図２は、折りたたまれたシートの上に閉じられたクランピングジョーを説明する図である。
【図３】  図３は、背を変形するためのローラーの走行を説明する図である。
【図４】  図４は、図３に示した部分の側面図であり、シートの背部に沿ったローラーの走行を示す。
【図５】  図５は、背部の変形を完了した後の小冊子の取り外しを示す。
【符号の説明】
１０  一組のシート
１１  縫合部
１２  クランピングジョー
１３  ブレード
１４  停止板
１６  リブ
１８  成形ローラー
【図１】
0005059997.tif 000002
【図２】
0005059997.tif 000003
【図３】
0005059997.tif 000004
【図４】
0005059997.tif 000005
【図５】
0005059997.tif 000006